(57)【特許請求の範囲】
【請求項１】
物体を上下昇降する複数の昇降空間が中間ビームを挟んで水平方向の左右に並列して設定された内部空間を有する中空構造体内において、付着物の処理をする際に前記中空構造体を仕切る仕切り壁であって、
互いに隣り合う前記昇降空間の間に位置し、上下方向に互いに間隔を隔てて対向するように配置された２つの前記中間ビーム間に設けられた軽量形鋼材と、
前記軽量形鋼材に固定され、前記水平方向の左右に前記中空構造体内を仕切って、前記処理のための作業空間を密閉区画する壁部材と、を備えており、
前記壁部材は、
複数枚の板材が、互いに隣接する当該板材の端部同士が重なるように並べられ、上下に隣り合う前記中間ビームの間に設けられるとともに、前記中空構造体の内周面との間に空隙を備えて配置された壁面材と、
前記中空構造体の内周面に当接されて前記壁面材に固定され、前記空隙を閉塞する複数の中継部材と、を有することを特徴とする仕切り壁。
【請求項２】
請求項１に記載の仕切り壁であって、
前記中間ビームは、Ｈ型鋼でなり、前記Ｈ型鋼が有する２つのフランジが前記左右に位置するように配置されており、
前記軽量形鋼材は、上下に隣り合う前記中間ビーム間にて前記左右に位置する前記フランジ間に設けられることを特徴とする仕切り壁。
【請求項３】
請求項２に記載の仕切り壁であって、
前記軽量形鋼材が設けられる前記２つの中間ビームのうちの下側の前記中間ビームのウェブ上には、上方に開放されたホルダーが載置されており、上側の前記中間ビームには、下方に開放されたホルダーが固定されており、
前記軽量形鋼材は、下端部が前記下側の中間ビームに設けられた前記ホルダーに固定され、上端部が前記上側の中間ビームに固定された前記ホルダーに固定され、
前記壁面材は、当該壁面材の端部が、前記中間ビームの前記フランジの外側面に重ねられていることを特徴とする仕切り壁。
【請求項４】
請求項１乃至請求項３のいずれかに記載の仕切り壁であって、
前記中空構造体内の前記付着物が付着している箇所は、当該付着物の表面に設けられた飛散防止シートが前記内周面をなしていることを特徴とする仕切り壁。
【請求項５】
請求項１乃至請求項４のいずれかに記載の仕切り壁であって、
前記中継部材と前記内周面との間にシール材が充填されていることを特徴とする仕切り壁。
【請求項６】
物体を上下昇降する複数の昇降空間が中間ビームを挟んで水平方向の左右に並列して設定された内部空間を有する中空構造体内において、付着物の処理をする際に前記中空構造体を仕切る仕切り壁であって、
互いに隣り合う前記昇降空間の間に位置し、上下方向に互いに間隔を隔てて対向するように配置された２つの前記中間ビーム間に設けられた軽量形鋼材と、
前記軽量形鋼材に固定され、前記水平方向の左右に前記中空構造体内を仕切って、前記処理のための作業空間を密閉区画する壁部材と、を備えており、
前記壁部材を覆う気密性シートが設けられていることを特徴とする仕切り壁。
【請求項７】
請求項６に記載の仕切り壁であって、
前記気密性シートは、前記壁部材の両面にそれぞれ設けられていることを特徴とする仕切り壁。
【請求項８】
請求項１乃至請求項７のいずれかに記載の仕切り壁であって、
前記壁面材は、剛板であることを特徴とする仕切り壁。
【請求項９】
物体を上下昇降する複数の昇降空間が中間ビームを挟んで水平方向の左右に並列して設定された内部空間を有する中空構造体内において、付着物の処理をする際に前記中空構造体を仕切る仕切り壁の設置方法であって、
前記中間ビームは、上下方向に間隔を隔てて複数設けられており、
上下に対向する一対の前記中間ビームに、複数の軽量形鋼材を、各々の前記軽量形鋼材の上端部と下端部とをそれぞれ固定して立設させる軽量形鋼材立設工程と、
前記一対の中間ビーム間に設けられ、前記水平方向の左右に前記中空構造体内を仕切って、前記処理のための作業空間を密閉区画する壁部材を、立設された前記軽量形鋼材に固定して壁面を形成する壁形成工程と、を有し、
前記壁部材は、前記壁面を形成する複数の板材でなる壁面材と、前記壁面材と前記中空構造体の内周面とを繋ぐ複数の中継部材とを有し、
前記壁形成工程は、
前記複数の板材を、互いに隣接する当該板材の端部同士が重なるように並べ、前記壁面材を上下に位置する前記中間ビームの側面に重ねるとともに、前記中空構造体の内周面との間に空隙を形成して前記壁面を形成する壁面形成工程と、
前記複数の中継部材を、前記中空構造体の内周面に当接させて前記壁面材に固定し、前記空隙を閉塞する閉塞工程と、を有することを特徴とする仕切り壁の設置方法。
【請求項１０】
請求項９に記載の仕切り壁の設置方法であって、
前記中空構造体内の前記付着物が付着している箇所は、
前記中継部材が当接される位置の当該付着物の表面に飛散防止シートを設けて前記内周面を形成することを特徴とする仕切り壁の設置方法。
【請求項１１】
請求項９または請求項１０に記載の仕切り壁の設置方法であって、
前記壁面形成工程では、前記壁部材を覆うための気密性シートを前記軽量形鋼材と前記壁部材との間に設けることを特徴とする仕切り壁の設置方法。
【請求項１２】
請求項１１に記載の仕切り壁の設置方法であって、
前記閉塞工程では、前記壁部材の前記気密性シートと反対側の面に、新たな気密性シートを設けることを特徴とする仕切り壁の設置方法。
【請求項１３】
請求項９乃至請求項１２のいずれかに記載の仕切り壁の設置方法であって、
前記中継部材と前記飛散防止シートとの間にシール材を充填することを特徴とする仕切り壁の設置方法。
【請求項１４】
請求項４に記載の仕切り壁を用いた付着物の処理方法であって、
前記中空構造体内は、前記壁部材にて、前記付着物が先に処理される先作業空間と、後で処理される後作業空間とに区画され、
前記壁部材は、前記後作業空間側に設けられ、前記中継部材は前記壁面材に前記後作業空間側から固定されており、
前記先作業空間側にて前記付着物を除去し、除去した部位に飛散防止剤を塗装し、
前記飛散防止シートに当接された前記中継部材を取り外した際に、前記先作業空間と前記後作業空間とが連通される部位を覆う覆い部材を前記先作業空間側から前記壁面材に固定し、
前記先作業空間側にて前記飛散防止剤が塗装された部位の前記覆い部材より前記先作業空間側に前記付着物と異なる新設付着物を付着させた後に、
前記後作業空間側から固定された前記中継部材を取り外して前記後作業空間において前記付着物を除去することを特徴とする付着物の処理方法。
【請求項１５】
請求項１４に記載の付着物の処理方法であって、
前記覆い部材を、前記先作業空間にて前記飛散防止剤が塗装された部位に当接して前記壁面材に固定することを特徴とする付着物の処理方法。
【請求項１６】
請求項１４または請求項１５に記載の付着物の処理方法であって、
前記覆い部材は、前記飛散防止剤が塗装された部位と直交する平板状の部位の縁部を当接させることを特徴とする付着物の処理方法。
【請求項１７】
請求項１６に記載の付着物の処理方法であって、
前記覆い部材は、前記後作業空間にて前記付着物が除去された後に、前記付着物が除去された部位の、前記覆い部材の前記後作業空間側に前記新設付着物を付着させ、
その後、前記覆い部材が当接された部位と直交する方向に引き抜かれて取り外されることを特徴とする付着物の処理方法。
【請求項１８】
請求項１７に記載の付着物の処理方法であって、
前記覆い部材を引き抜いた部位に、前記新設付着物を充填することを特徴する付着物の処理方法。
【請求項１９】
請求項１４乃至請求項１８のいずれかに記載の付着物の処理方法であって、
前記中空構造体が並設された３つ以上の作業空間を有する場合には、最も端に位置する最端作業空間を前記先作業空間とし、前記最端作業空間と隣接する前記作業空間側を前記後作業空間として前記先作業空間から前記付着物の処理を実行し、前記先作業空間にて前記処理が終了した後に、隣接する前記作業空間を前記先作業空間として、順次、隣接する前記作業空間へ移動して処理することを特徴とする付着物の処理方法。
【発明の詳細な説明】
【技術分野】
【０００１】
本発明は、エレベーター等が設けられる、建物の中空空間を仕切る仕切り壁、仕切り壁の設置方法、及び、付着物の処理方法に関する。
【背景技術】
【０００２】
建物の中空空間としては、たとえば鉛直方向に長い内部空間内を乗りかごが上下昇降するように構成されたエレベーターシャフトがある。エレベーターには、複数台の乗りかごが左右に並列配置された、いわゆる多連式のエレベーターがあり、多連式のエレベーターのエレベーターシャフト内には、乗りかご毎に、互いに独立して昇降動作を行えるように昇降空間が設けられている。
【０００３】
また、エレベーターシャフト内には、鉄骨架構の耐火被覆目的で施工されたアスベストがそのまま鉄骨に付着状態で残存していることがあり、このようなアスベストは、飛散前に一刻も早く除去等の無害化処理を施す必要がある。
【０００４】
エレベーターシャフト内の付着物を取る方法として、例えば、付着物として綿ゴミ等の塵埃を清掃する方法は知られている（例えば、特許文献１参照）。
【先行技術文献】
【特許文献】
【０００５】
【特許文献１】特開２００７−１４５４４８号公報
【発明の概要】
【発明が解決しようとする課題】
【０００６】
ところで、一般に、建屋内のアスベストを処理する際には、養生シート等により隔離密閉された作業空間を形成し、その中で処理作業を行うことが義務付けられている。ところが、上述のような多連式のエレベーターの場合にエレベーターシャフト全体を隔離密閉すると、全てのエレベーターが使えなくなってしまい著しく不便となる。このため、少なくとも１台のエレベーターは稼働状態のままで処理作業ができるように昇降空間毎に隔離密閉することが望ましい。
【０００７】
しかしながら、多連式のエレベーターの場合に、左右方向に隣接する２つの昇降空間の間隔が狭く、また、それら２つの昇降空間の間に複数の中間ビームが設けられている場合もある。このように隣接する２つの昇降空間の間にてエレベーターシャフト全体を隔離密閉しなければ、隣接する昇降空間の一方にて付着物を処理し、他方にてエレベーターを稼働することができないという課題がある。
【０００８】
本発明はかかる従来の課題に鑑みて成されたもので、その目的とするところは、中間ビームが設けられた中空構造体内であっても複数の空間に区分けして密閉することが可能な仕切り壁、この仕切り壁の設置方法、及び、付着物の処理方法を提供することにある。
【課題を解決するための手段】
【０００９】
かかる目的を達成するために本発明の仕切り壁は、物体を上下昇降する複数の昇降空間が中間ビームを挟んで水平方向の左右に並列して設定された内部空間を有する中空構造体内において、付着物の処理をする際に前記中空構造体を仕切る仕切り壁であって、
互いに隣り合う前記昇降空間の間に位置し、上下方向に互いに間隔を隔てて対向するように配置された２つの前記中間ビーム間に設けられた軽量形鋼材と、
前記軽量形鋼材に固定され、前記水平方向の左右に前記中空構造体内を仕切って、前記処理のための作業空間を密閉区画する壁部材と、を備えており、
前記壁部材は、
複数枚の板材が、互いに隣接する当該板材の端部同士が重なるように並べられ、上下に隣り合う前記中間ビームの間に設けられるとともに、前記中空構造体の内周面との間に空隙を備えて配置された壁面材と、
前記中空構造体の内周面に当接されて前記壁面材に固定され、前記空隙を閉塞する複数の中継部材と、を有することを特徴とする仕切り壁である。
【００１０】
このような仕切り壁によれば、付着物の処理をする際に中空構造体を仕切る仕切り壁は、互いに隣り合う昇降空間の間に位置し、上下方向に互いに間隔を隔てて対向するように配置された２つの中間ビームの間に設けられた軽量形鋼材に壁部材が固定されて構成されているので、中間ビームの側面に、水平方向におけるいずれかの側から設けられた軽量形鋼材に壁部材が固定される場合より、水平方向において仕切り壁に占有される領域が狭い。このため、互いに隣り合う昇降空間の間が狭い中空構造体内であっても、作業空間を狭めることなく密閉することが可能な仕切り壁を提供することが可能である。また、中間ビームが設けられた中空構造体内であっても複数の空間に区分けして密閉することが可能な仕切り壁を提供することが可能である。
【００１１】
また、壁面材を構成し互いに隣接する複数の板材の端部同士が重なるように配置されているので、上下に隣り合う中間ビームの間をより確実に密閉する仕切り壁を提供することが可能である。また、壁面材と中空構造体の内周面との間を繋ぐ中継部材が設けられているので、壁面材と中空構造体の内周面との間もより確実に密閉することが可能である。
【００１２】
かかる仕切り壁であって、前記中間ビームは、Ｈ型鋼でなり、前記Ｈ型鋼が有する２つのフランジが前記左右に位置するように配置されており、前記軽量形鋼材は、上下に隣り合う前記中間ビーム間にて前記左右に位置する前記フランジ間に設けられることが望ましい。  
このような仕切り壁によれば、上下に隣り合う前記中間ビーム間にて設けられる軽量形鋼材は、Ｈ形鋼でなる中間ビームが有する、左右に位置するように配置された２つのフランジの間に位置しているので、軽量形鋼材を左右方向において中間ビームの幅の内側に納めることが可能である。そして、この軽量形鋼材に壁部材を固定した場合には、中間ビームの幅からの突出量を抑えることが可能である。
【００１３】
かかる仕切り壁であって、前記軽量形鋼材が設けられる前記２つの中間ビームのうちの下側の前記中間ビームのウェブ上には、上方に開放されたホルダーが載置されており、上側の前記中間ビームには、下方に開放されたホルダーが固定されており、前記軽量形鋼材は、下端部が前記下側の中間ビームに設けられた前記ホルダーに固定され、上端部が前記上側の中間ビームに固定された前記ホルダーに固定され、前記壁面材は、当該壁面材の端部が、前記中間ビームの前記フランジの外側面に重ねられていることが望ましい。  
このような仕切り壁によれば、上下に隣り合う中間ビーム間に設けられる軽量形鋼材は、下端部が下側の中間ビームに設けられたチャンネル材に固定され、上端部が上側の中間ビームに固定されたチャンネル材に固定されているので、高い強度を備えて軽量形鋼材を上下に隣り合う中間ビーム間に設けることが可能である。そして、この軽量形鋼材に固定された壁部材もより高い強度を備えることが可能である。  
さらに、軽量形鋼材に固定された壁部材の端部が、中間ビームのフランジの外側面に重ねられているので、上下に隣り合う中間ビームと壁面材との境界部分を確実に密閉することが可能である。このため、上下方向に配置されている複数の中間ビームの間に壁面材により上下方向に隙間なく繋がった壁面を形成することが可能である。
【００１４】
かかる仕切り壁であって、前記中空構造体内の前記付着物が付着している箇所は、当該付着物の表面に設けられた飛散防止シートが前記内周面をなしていることが望ましい。  
このような仕切り壁によれば、中空構造体内の付着物が付着している箇所は、付着物の表面に飛散防止シートが設けられているので、付着物が付着している箇所に中継部材を設けることによる付着物の飛散を防止することが可能である。
【００１５】
かかる仕切り壁であって、前記中継部材と前記内周面との間にシール材が充填されていることが望ましい。  
このような仕切り壁によれば、複数設けられた中継部材と内周面との間にシール材が充填されているので、中継部材と内周面との間も確実に密閉することが可能である。
【００１６】
また、物体を上下昇降する複数の昇降空間が中間ビームを挟んで水平方向の左右に並列して設定された内部空間を有する中空構造体内において、付着物の処理をする際に前記中空構造体を仕切る仕切り壁であって、
互いに隣り合う前記昇降空間の間に位置し、上下方向に互いに間隔を隔てて対向するように配置された２つの前記中間ビーム間に設けられた軽量形鋼材と、
前記軽量形鋼材に固定され、前記水平方向の左右に前記中空構造体内を仕切って、前記処理のための作業空間を密閉区画する壁部材と、を備えており、
前記壁部材を覆う気密性シートが設けられていることを特徴とする仕切り壁である。
【００１７】
かかる仕切り壁であって、前記気密性シートは、前記壁部材の両面にそれぞれ設けられていることが望ましい。  
このような仕切り壁によれば、壁部材の両面が気密性シートにて覆われているので、壁部材を構成する壁面材と中継部材との間及び壁面材を構成し隣接する複数の板材間を両面からより確実に密閉することが可能である。また、仕切り壁により仕切られた空間の一方側の処理が終了した後に一方側の気密性シートを取り外しても、仕切り壁の密閉性を維持したままで他方側の処理を行うことが可能である。
【００１８】
かかる仕切り壁であって、前記壁面材は、剛板であることが望ましい。  
このような仕切り壁によれば、壁面材が剛板なので、より高い剛性を備えた仕切り壁を提供することが可能である。例えば、仕切るべき空間が広く、仕切り壁が大きい場合であっても、壁面材が撓んだり変形することを防止することが可能である。また、例えば、並設された昇降空間にて物体が高速にて昇降して高い風圧が仕切り壁に作用する場合であっても、壁面材が撓んだり変形し難い仕切り壁を提供することが可能である。
【００１９】
また、物体を上下昇降する複数の昇降空間が中間ビームを挟んで水平方向の左右に並列して設定された内部空間を有する中空構造体内において、付着物の処理をする際に前記中空構造体を仕切る仕切り壁の設置方法であって、
前記中間ビームは、上下方向に間隔を隔てて複数設けられており、
上下に対向する一対の前記中間ビームに、複数の軽量形鋼材を、各々の前記軽量形鋼材の上端部と下端部とをそれぞれ固定して立設させる軽量形鋼材立設工程と、
前記一対の中間ビーム間に設けられ、前記水平方向の左右に前記中空構造体内を仕切って、前記処理のための作業空間を密閉区画する壁部材を、立設された前記軽量形鋼材に固定して壁面を形成する壁形成工程と、を有し、
前記壁部材は、前記壁面を形成する複数の板材でなる壁面材と、前記壁面材と前記中空構造体の内周面とを繋ぐ複数の中継部材とを有し、
前記壁形成工程は、
前記複数の板材を、互いに隣接する当該板材の端部同士が重なるように並べ、前記壁面材を上下に位置する前記中間ビームの側面に重ねるとともに、前記中空構造体の内周面との間に空隙を形成して前記壁面を形成する壁面形成工程と、
前記複数の中継部材を、前記中空構造体の内周面に当接させて前記壁面材に固定し、前記空隙を閉塞する閉塞工程と、を有することを特徴とする仕切り壁の設置方法である。
【００２０】
このような仕切り壁の設置方法によれば、中空構造体内を仕切る仕切り壁を、上下に対向する一対の中間ビーム間に立設させた複数の軽量形鋼材に壁部材を固定して上下に対向する一対の中間ビーム間に壁面を形成するので、互いに隣り合う昇降空間の間に設けられた中間ビームからの突出量を抑えて、上下方向に繋がった壁面を形成して中空構造体内を仕切ることが可能である。また、互いに隣り合う昇降空間の間に仕切り壁の上下方向に繋がった壁面を形成するので、付着物の処理をするための空間を密閉することが容易である。さらに、壁部材を、上下に対向する一対の中間ビームに、上端部と下端部とがそれぞれ固定された複数の軽量形鋼材に壁部材を固定することにより、隣接する昇降空間にて物体が昇降し風圧が壁面に作用しても撓みにくい剛性を備えることが可能である。
【００２１】
また、壁部材の壁面材を構成する複数の板材を互いに隣接する板材の端部同士が重なるように並べ、壁面材を上下に位置する中間ビームの側面に重ねるので、より高い密閉性を備えた仕切り壁を形成することが可能である。また、壁面材と中空構造体の内周面との空隙に合わせて中継部材を取り付けることにより、単に壁面材のみにて壁部材を形成する場合より、調整代を確保することが可能であり、壁面材と中空構造体の内周面との間を中継部材にてより確実に塞ぐことが可能である。
【００２２】
かかる仕切り壁の設置方法であって、前記中空構造体内の前記付着物が付着している箇所は、前記中継部材が当接される位置の当該付着物の表面に飛散防止シートを設けて前記内周面を形成することが望ましい。  
このような仕切り壁の設置方法によれば、中空構造体内の付着物が付着している箇所は、中継部材が当接される位置の当該付着物の表面に飛散防止シートを設けて内周面とするので、中継部材を設ける際に、中継部材と付着物とが直接接しないので中継部材を取り付けることによる付着物の飛散を防止することが可能である。
【００２３】
かかる仕切り壁の設置方法であって、前記壁面形成工程では、前記壁部材を覆うための気密性シートを前記軽量形鋼材と前記壁部材との間に設けることが望ましい。  
このような仕切り壁の設置方法によれば、壁部材を覆う気密性シートが軽量形鋼材と壁部材との間に設けられるので、壁部材の軽量形鋼材側の面を気密性シートにて覆い密閉空間を形成することが可能である。
【００２４】
かかる仕切り壁の設置方法であって、前記閉塞工程では、前記壁部材の前記気密性シートと反対側の面に、新たな気密性シートを設けることが望ましい。  
このような仕切り壁の設置方法によれば、壁部材は両面から気密性シートに覆われるので、さらに高い気密性を確保することが可能である。
【００２５】
かかる仕切り壁の設置方法であって、前記中継部材と前記飛散防止シートとの間にシール材を充填することが望ましい。  
このような仕切り壁の設置方法によれば、中継部材と飛散防止シートとの間にシール材を充填するので、中継部材と飛散防止シートとの間も隙間なく密閉することが可能である。
【００２６】
また、上記仕切り壁を用いた付着物の処理方法であって、前記中空構造体内は、前記壁部材にて、前記付着物が先に処理される先作業空間と、後で処理される後作業空間とに区画され、前記壁部材は、前記後作業空間側に設けられ、前記中継部材は前記壁面材に前記後作業空間側から固定されており、前記先作業空間側にて前記付着物を除去し、除去した部位に飛散防止剤を塗装し、前記飛散防止シートに当接された前記中継部材を取り外した際に、前記先作業空間と前記後作業空間とが連通される部位を覆う覆い部材を前記先作業空間側から前記壁面材に固定し、前記先作業空間側にて前記飛散防止剤が塗装された部位の前記覆い部材より前記先作業空間側に前記付着物と異なる新設付着物を付着させた後に、前記後作業空間側から固定された前記中継部材を取り外して前記後作業空間において前記付着物を除去することを特徴とする付着物の処理方法である。
【００２７】
このような付着物の処理方法によれば、壁部材により先作業空間と後作業空間とに密閉区画された後に、先作業空間側の付着物が除去されるので、除去された付着物が外部に飛散することを確実に防止することが可能である。このとき、除去された付着物は後作業空間にも飛散しないので、後作業空間は先作業空間での付着物の除去処理に拘わらず使用することが可能である。また、付着物が除去された部位には飛散防止剤を塗装するので、付着物の飛散をより確実に防止することが可能である。さらに、覆い部材を取り付けてから飛散防止シートに当接されている中継部材を取り外すので、先作業空間内を密閉区画した状態を保ったままで、即ち、先作業空間と後作業空間とが連通されることなく、中継部材を取り外すことが可能である。また、覆い部材を取り付けた後に、覆い部材より先作業空間側に新設付着物を付着させる処理を実行するので、付着物が付着していた部位の覆い部材より先作業空間側を新設付着物で覆うことが可能である。
【００２８】
かかる付着物の処理方法であって、前記覆い部材を、前記先作業空間にて前記飛散防止剤が塗装された部位に当接して前記壁面材に固定することが望ましい。  
このような付着物の処理方法によれば、覆い部材を先作業空間にて飛散防止剤が塗装された部位に当接するので、付着物が確実に飛散防止処理された領域にて先作業空間側と後作業空間とを区画することが可能である。このため、覆い部材を取り付けた後に中継部材を取り外しても先作業空間側に付着物が残存することを確実に防止することが可能である。
【００２９】
かかる付着物の処理方法であって、前記覆い部材は、前記飛散防止剤が塗装された部位と直交する平板状の部位の縁部を当接させることが望ましい。  
このような付着物の処理方法によれば、覆い部材を、飛散防止剤が塗装された部位と直交する平板状の部位の縁部にて飛散防止剤が塗装された部位に当接するので、覆い部材の内周面との接触面積を小さくすることが可能であり、より広い領域に新設付着物を付着させることが可能である。
【００３０】
かかる付着物の処理方法であって、前記覆い部材は、前記後作業空間にて前記付着物が除去された後に、前記付着物が除去された部位の、前記覆い部材の前記後作業空間側に前記新設付着物を付着させ、その後、前記覆い部材が当接された部位と直交する方向に引き抜かれて取り外されることが望ましい。  
このような付着物の処理方法によれば、先作業空間にて飛散防止剤が塗装された部位に当接された覆い部材の後作業空間側にて付着物を除去した後に、飛散防止剤を塗装するので、付着物が付着していた部位の全域に余すことなく飛散防止剤を塗装することが可能である。そして、覆い部材が当接していた部位、すなわち、覆い部材の板厚分を除いた領域に新設付着物を付着させることが可能である。また、覆い部材を当該覆い部材が当接された部位と直交する方向に引き抜いて取り外すので、覆い部材を取り外しても覆い部材の板厚分の隙間が形成されるだけで、新設付着物を剥がすことなく覆い部材を取り外すことが可能である。
【００３１】
かかる付着物の処理方法であって、前記覆い部材を引き抜いた部位に、前記新設付着物を充填することが望ましい。  
このような付着物の処理方法によれば、覆い部材を引き抜いて形成された隙間にも新設付着物を充填することが可能である。このため、付着物が付着していた部位の全域に新設付着物を充填することが可能である。
【００３２】
かかる付着物の処理方法であって、前記中空構造体が並設された３つ以上の作業空間を有する場合には、最も端に位置する最端作業空間を前記先作業空間とし、前記最端作業空間と隣接する前記作業空間側を前記後作業空間として前記先作業空間から前記付着物の処理を実行し、前記先作業空間にて前記処理が終了した後に、隣接する前記作業空間を前記先作業空間として、順次、隣接する前記作業空間へ移動して処理することが望ましい。  
このような付着物の処理方法によれば、中空構造体内に作業空間が３つ以上存在する場合には、先作業空間を密閉するために設置した仕切り壁を、後作業空間の仕切り壁として流用できるので、仕切り壁の設置及び取り外し作業を省略できて、効率良く作業を進めることが可能である。
【発明の効果】
【００３３】
本発明によれば、中間ビームが設けられた中空構造体内であっても複数の空間に区分けして密閉することが可能な仕切り壁、この仕切り壁の設置方法、及び、付着物の処理方法を提供することが可能である。
【図面の簡単な説明】
【００３４】
【図１】本実施形態の仕切り壁が設けられたエレベーターシャフトを説明するためのイメージ図である。
【図２】本実施形態の仕切り壁が設けられる中空構造体を説明するための平断面の概略図である。
【図３】本実施形態の仕切り壁の正面図である。
【図４】本実施形態の仕切り壁の縦断面図である。
【図５】本実施形態の仕切り壁の平断面図である。
【図６】軽量形鋼材の中間ビームへの取り付け方法を説明するための図である。
【図７】アスベストの表面に貼り付けられた飛散防止シートを示す図であり、図７（ａ）は正面図、図７（ｂ）は縦断面図、図７（ｃ）は平断面図を示している。
【図８】中間ビームに取り付けた軽量形鋼材と軽量形鋼材に取り付けられた気密性シート及び壁面材を示す図であり、図８（ａ）は正面図、図８（ｂ）は縦断面図、図８（ｃ）は平断面図を示している。
【図９】閉塞プレートを説明するための図であり、図９（ａ）は正面図、図９（ｂ）は縦断面図、図９（ｃ）は平断面図を示している。
【図１０】中継部材を説明するための図であり、図１０（ａ）は正面図、図１０（ｂ）は縦断面図、図１０（ｃ）は平断面図を示している。
【図１１】飛散防止シートを囲むように取り付けられる中継部材の配置を説明するための図である。
【図１２】先作業空間のアスベスト除去処理及び飛散防止剤の塗装処理を説明するための図であり、図１２（ａ）は正面図、図１２（ｂ）は縦断面図、図１２（ｃ）は平断面図を示している。
【図１３】突当部材を取り付けた状態を示す図であり、図１３（ａ）は正面図、図１３（ｂ）は縦断面図、図１３（ｃ）は平断面図を示している。
【図１４】先作業空間側にて鉄骨梁にロックウールの被覆を施す処理を説明するための図であり、図１４（ａ）は正面図、図１４（ｂ）は縦断面図、図１４（ｃ）は平断面図を示している。
【図１５】後作業空間のアスベスト除去処理及び飛散防止剤の塗装処理を説明するための図であり、図１５（ａ）は縦断面図、図１５（ｂ）は平断面図を示している。
【図１６】後作業空間側にて鉄骨梁にロックウールの被覆を施す処理を説明するための図であり、図１６（ａ）は縦断面図、図１６（ｂ）は平断面図を示している。
【図１７】突当部材を取り外した後に形成されるロックウールの隙間を示す図であり、図１７（ａ）は縦断面図、図１７（ｂ）は平断面図を示している。
【発明を実施するための形態】
【００３５】
以下、本実施形態の仕切り壁、この仕切り壁の設置方法、及び、付着物の処理方法の一例について図を用いて詳細に説明する。
【００３６】
本実施形態においては、処理すべき付着物が付着した中空構造体の内部空間の一例として、エレベーターシャフトを例に挙げて説明する。  
図１は、本実施形態の仕切り壁が設けられたエレベーターシャフトを説明するためのイメージ図である。図２は、本実施形態の仕切り壁が設けられる中空構造体を説明するための平断面の概略図である。
【００３７】
本実施形態の仕切り壁３０は、中空構造体１０の内部空間の一例としてのエレベーターシャフトＥＶＳ内において、鉄骨梁２１ａに耐火被覆として既に吹き付けられている付着物としてのアスベストに対し除去等の無害化処理を施し、さらに、アスベスト３１と異なる新設付着物としてのロックウールを耐火被覆として鉄骨梁２１ａに施す耐火被覆処理をする際に用いられるものである。なお、以下の説明では、図１に示すように、互いに直交する三方向をそれぞれ、エレベーターシャフト内を乗りかごが昇降する方向を上下方向（鉛直方向）、乗りかごに乗り降りするための開口が設けられた壁面に沿う方向を左右方向（水平方向）、及び、乗りかごに対して奥行き方向となる方向を前後方向（水平方向）と言う。
【００３８】
＝＝＝エレベーターＥＶについて＝＝＝
エレベーターＥＶは、図１に示すように、ビル等の建物の一部に区画されたエレベーターシャフトＥＶＳと、このエレベーターシャフトＥＶＳ内を鉛直方向に沿って上下昇降可能に案内された乗りかご１３と、エレベーターシャフトＥＶＳの上方の機械室ＭＲ内に配置されて、つり合い重りＷを備えた吊りロープＲを用いて前記乗りかご１３を吊り下げつつ上下昇降する巻き上げ機１９と、を備えている。このエレベーターＥＶは所謂３連式のエレベーターＥＶであり、エレベーターシャフトＥＶＳ内には、３つの乗りかご１３が左右に並列して設けられており、各乗りかご１３は、それぞれに対応して機械室ＭＲに設置された各巻き上げ機１９によって、各昇降空間ＴＲ（ＴＲＬ，ＴＲＣ，ＴＲＲ）に沿って独立に昇降動作をする。
【００３９】
エレベーターシャフトＥＶＳは、鉛直方向に長い直方体形状の空間である。詳しくは、鉄骨梁２１ａと鉄骨柱２１ｂとが鉛直方向に長い略直方体形状に組まれてエレベーターシャフトＥＶＳの柱梁架構２１が構築されている。また、左右に並列して設けられた３つの乗りかご１３の各昇降空間ＴＲの間には、各階床間の鉄骨梁２１ａに前後方向に架け渡して中間ビーム２４が設けられている。ここで、鉄骨梁２１ａ、鉄骨柱２１ｂ、中間ビーム２４は、いずれもＨ型鋼であるが、中間ビーム２４は、鉄骨梁２１ａ、鉄骨柱２１ｂよりも断面形状が小さなＨ型鋼にて形成されている。このため、鉄骨梁２１ａはフランジが上下に配置されてウェブが鉛直方向に沿うように配置されているが、中間ビーム２４は側方からの風圧に対する剛性を高めるためにフランジが左右に配置されてウェブが水平をなすように配置されている。
【００４０】
また、上下に隣り合う鉄骨梁２１ａ同士の間にはＡＬＣ（気泡コンクリート）版等のコンクリートパネルが配置され、このコンクリートパネルにより、エレベーターシャフトＥＶＳの側壁２８が前後左右の四方を囲って形成されている。また、これら四方の側壁２８の上端及び下端には、それぞれ、天井面１０ａ及び床面１０ｂが形成されており、これにより、エレベーターシャフトＥＶＳ内は、概ね上下前後左右の六方の全てが閉じた略閉空間になっている。
【００４１】
なお、四方の側壁２８のうちの前方の側壁２８には、各乗りかご１３及び建物の各階フロアーに対応させてエレベーターＥＶの乗り場出入口２８ａが開口形成されているとともに、各乗り場出入口２８ａには、左右にスライドする開閉扉２５が設けられている。よって、乗りかご１３の無い状態において前記開閉扉２５が開くと、エレベーターシャフトＥＶＳ内は、建物側の空間であるエレベーターホールＥＶＨと連通状態になる。
【００４２】
ところで、上述からわかるように、一般にエレベーターシャフトＥＶＳ内には、柱梁架構２１の鉄骨梁２１ａが部分的に露出している。このような鉄骨露出部位に対しては建築基準法上耐火被覆が必須であり、以前はその素材としてアスベストが使用されていた。このため、現在も既存のエレベーターシャフトＥＶＳ内にはアスベストが露出していることがある。
【００４３】
このようなアスベストに対しては、例えば、既存エレベーターＥＶの設備更新工事等に併せて、無害化処理が行われる。無害化処理としては、アスベストを剥がす等の物理的に取り除く除去処理や、薬液塗布等により塗布部位の表面を固めてその場にアスベストを封じ込める封じ込め処理、更には、板材等でアスベストの付着部位を囲って外に露出しないようにする囲い込み処理等が挙げられる。
【００４４】
そして、何れの処理を行うにせよ、その処理作業時には、周囲にアスベストが飛散しないように、その作業空間ＷＳを隔離密閉養生することが義務付けられている。
【００４５】
しかし、上述したような３連式等の多連式エレベーターＥＶの場合にエレベーターシャフトＥＶＳ全体を隔離密閉養生すると、全てのエレベーターＥＶが使えなくなり著しく不便となるので、少なくとも１台のエレベーターＥＶを稼働状態としたままで無害化処理が実施できることが望ましい。
【００４６】
このため、エレベーターシャフトＥＶＳ内を水平方向の左右に仕切って、前記作業空間ＷＳを乗りかご１３単位、つまり昇降空間ＴＲ単位（エレベーターＥＶ単位）で密閉区画することが求められている。しかしながら、エレベーターシャフトＥＶＳ内の隣接する昇降空間の間は狭く、特に本実施形態のエレベーターシャフトＥＶＳのように中間ビーム２４が設けられている場合には、水平方向いおいて中間ビーム２４の外側には、昇降空間を密閉区画する、例えば隔壁を設けるスペースを確保することが難しい。
【００４７】
そこで、本実施形態の仕切り壁は、中間ビームが設けられた中空構造体内であっても複数の空間に密閉区画することが可能な仕切り壁により前記作業空間ＷＳ外の乗りかご１３（昇降空間ＴＲ、エレベーターＥＶ）の稼働を確保している。
【００４８】
＝＝本実施形態に係る仕切り壁、仕切り壁の設置方法、及び、付着物の処理方法＝＝＝
＜＜仕切り壁＞＞
図３は、本実施形態に係る仕切り壁を示す正面図であり、図４は、本実施形態に係る仕切り壁の縦断面図、図５は、本実施形態に係る仕切り壁の平断面図である。図６は、軽量形鋼材の中間ビームへの取り付け方法を説明するための図である。
【００４９】
仕切り壁３０は、例えば、上下方向に互いに間隔を隔てて対向するように配置された２つの中間ビーム２４間に介在されて仕切り壁３０の下地となり、鉛直方向に沿って配置された複数本の軽量形鋼材３２と、軽量形鋼材３２に固定され上下に隣り合う各中間ビーム２４間に設けられてエレベーターシャフトＥＶＳ内を作業空間と昇降空間とに仕切る壁部材３４と、壁部材３４を作業空間側及び昇降空間側からそれぞれ覆う気密性シート４０と、を有している。
【００５０】
軽量形鋼材３２は、例えば断面がＣ字状をなすチャンネル材である。軽量形鋼材３２は、各々の軽量形鋼材３２に対し、上下に隣り合う２本の中間ビーム２４のうち下側に位置する中間ビーム（以下、下中間ビームともいう）２４に載置されて固定され、上側に位置する中間ビーム（以下、上中間ビームともいう）２４に固定されている。
【００５１】
具体的には、上中間ビーム２４及び下中間ビーム２４は、水平方向における左右に間隔を隔ててフランジ２４ａが配置され、ウェブ２４ｂが水平方向に沿って配置されている。下中間ビーム２４のウェブ２４ｂ上には、断面がほぼＵ字状をなすチャンネル材で成るホルダー３３が載置されており、上中間ビーム２４には、フランジ２４ａの下端を繋ぐように覆う、後述する板金部材５１を介して、下側と同様のホルダー３３が固定されている。ホルダー３３は、上下の中間ビーム２４に沿って、中間ビーム２４のほぼ全幅に渡って設けられている。
【００５２】
断面がＵ字状をなし溝状をなすホルダー３３は、溝幅が軽量形鋼材３２の幅より僅かに大きく形成されており、溝状をなすホルダー３３の開放された部位が上方を向くようにウェブ２４ｂ上に載置されている。このとき、ホルダー３３の幅は、中間ビーム２４のフランジ２４ａの間隔より狭いため、ホルダー３３を中間ビーム２４の一方（右側）のフランジ２４ａ側に押しつけてホルダー３３の移動を形成する規制金具５０が、ホルダー３３とともに中間ビーム２４のウェブ２４ｂ上に左右方向に並べて配置されている。
【００５３】
また、上中間ビーム２４には、左右方向に間隔を隔てて配置されている２つのフランジ２４ａの下端を繋ぐように塞ぐ板金部材５１が、２つのフランジ２４ａの上端部に係止されるように取り付けられており、板金部材５１により形成された、下中間ビーム２４と対向する面にホルダー３３が、その開放された部位が下方を向くようにビス止めされている。上中間ビーム２４と下中間ビーム２４とにそれぞれ設けられたホルダー３３は、上下に位置して互いに対向するように設けられている。そして、複数の軽量形鋼材３２は、それぞれ上端部が上中間ビーム２４に設けられたホルダー３３に固定され、下端部が下中間ビーム２４に設けられたホルダー３３に載置されて、上中間ビーム２４と下中間ビーム２４との間にて上下方向に沿うように設けられている。
【００５４】
壁部材３４は、複数枚の板材３５ａが、各々の端部同士が重ねられて配置されて壁面を構成する壁面材３５と、壁面材３５の端部とエレベーターシャフトＥＶＳを形成している中空構造体１０の内周面との間を繋ぐ複数の中継部材３６及び閉塞プレート３７と、を有している。ここで、中空構造体１０の内周面とは、中空構造体１０の前後の側壁２８、天井面１０ａ及び床面１０ｂと、各階床間にてエレベーターシャフトＥＶＳ内に露出しているスラブ１２の端部及び鉄骨梁２１ａを被覆するアスベスト３１の表面が相当するが、中継部材３６により壁面材３５と繋がれる内周面においては、側壁２８、天井面１０ａ、床面１０ｂ、スラブ１２の端部は同じであるが、アスベスト３１の表面ではなく、中継部材３６を取り付ける際にアスベスト３１が飛散することを防止するためにアスベスト３１の表面に貼着された耐火性を有する飛散防止シート３８の表面に相当する。
【００５５】
板材３５ａは、例えばＷ３００ｍｍ×Ｌ３０００ｍｍのガルバリウム鋼板であり、１つの辺に沿う複数の溝が等間隔にて溝の方向と直交する方向に平行に形成されている。そして、複数のガルバリウム鋼板は、互いに隣接するガルバリウム鋼板の端部同士が重なるように並べられ、上中間ビーム２４と下中間ビーム２４との間の空間を仕切るべく設けられて軽量形鋼材３２に固定されている。このとき、隣接するガルバリウム鋼板は、互いに有する溝が重なり合って嵌り込むように配置されて、エレベーターシャフトＥＶＳ内を左右方向に仕切る１枚の壁面が形成されて壁面材３５をなしている。また、壁面材３５の周端部のうち、上中間ビーム２４及び下中間ビーム２４との境界部分では、壁面材３５の端部は、上下の中間ビーム２４が有するフランジ２４ａに後作業空間ＷＳＡ側にて重ねられてテープ材４５にて目張りされており、中空構造体１０の内周面との境界部分では、僅かに間隔が隔てられて空隙１０ｃ（図８（ａ）参照）が設けられている。この空隙１０ｃが中継部材３６及び閉塞プレート３７にて塞がれている。
【００５６】
中継部材３６は、断面がＬ字状をなす鋼板であり、Ｌ字をなす一方の板部が壁面材３５の一方の面に当接されてボルトにて固定される固定板部３６ｂであり、他方の板部が中空構造体１０の内周面に当接される当接板部３６ａをなしている。アスベスト３１は鉄骨梁２１ａの表面に吹き付けられているので、鉄骨梁２１ａの表面を覆うように湾曲した曲面をなしており、その表面に貼り付けられた飛散防止シート３８の表面も湾曲している。即ち、飛散防止シート３８の表面は、側壁２８等とは相違して平坦ではなく、また、鉄骨梁２１ａをなすＨ型鋼のフランジが突き出しているので、Ｌ字状の鋼板でなる中継部材３６は、可及的に飛散防止シート３８の表面に沿って当接板部３６ａが当接されるように、鉄骨梁２１ａの周りに配置される。このため、飛散防止シート３８に当接される中継部材３６は幅が狭く形成されており、複数の中継部材３６にて鉄骨梁２１ａの周囲を覆うように壁面材３５に取り付けられる。そして、複数の中継部材３６の隣接する中継部材３６と飛散防止シート３８との間には、それらの隙間を埋めるようにシール材３９が充填されている。
【００５７】
閉塞プレート３７は、鉄骨梁２１ａを被覆しているアスベスト３１の表面に貼り付けられた飛散防止シート３８の輪郭にほぼ沿う形状に形成された突き当て部を有する平板状の板金であり、壁面材３５の端部に固定されて飛散防止シート３８と壁面材３５の端部間を繋ぐように配置される。この閉塞プレート３７は、例えば、断面が１ｃｍ角の正方形状をなす角柱状の複数の木片が、同一方向に沿わされるとともに、長手方向に各々独立してスライド可能にガイドされつつ重ねられた治具により飛散防止シート３８の表面形状、即ち輪郭が型取りされた形状に基づいて形成される。具体的には、治具が有する複数の木片が中空構造体１０内に露出しているアスベスト３１の上下方向の幅より広く重ねられており、各木片の先端部分が揃った状態にて、アスベスト３１の表面に設けられた飛散防止シート３８に正面、即ち、中間ビーム２４に沿う方向から当接させることにより、各木片を飛散防止シート３８の表面の形状に沿ってスライドさせる。そして、上下端側の木片が側壁２８に当接した後に、各木片がずれないように治具を飛散防止シート３８から引き離し、そのまま、板金材料の上に各木片が平らに並ぶように配置する。その後、板金材料に各木片の先端の輪郭を写し、写した輪郭に沿って板金材料を切断して閉塞プレート３７が形成される。
【００５８】
気密性シート４０は、例えば、ポリエチレンシートやＰＥＴシート等であり、壁部材３４の両面に設けられ、壁面材３５の全面と周端部に固定された複数の中継部材３６の固定板部３６ｂに架け渡すように貼り付けられている。具体的には、気密性シート４０は粘着テープ等により面接触状態に貼り付けられている。
【００５９】
＜＜仕切り壁の設置方法及びアスベストの処理方法＞＞
本実施形態では、３つの乗りかご１３が左右に並列して設けられた３連式のエレベーターＥＶのエレベーターシャフトＥＶＳ内にて、最も左側の昇降空間ＴＲＬからアスベスト３１の処理を行うこととして説明する。ここでアスベスト３１の処理には、既存のアスベスト３１を除去する除去処理と、アスベスト３１を除去した部位に新たな耐火被覆としてロックウール４６を施す耐火被覆処理とが含まれる。
【００６０】
エレベーターシャフトＥＶＳの最も左側の昇降空間ＴＲＬ（最端昇降空間）にてアスベスト３１の除去処理を行う場合には、まず、最も左側の昇降空間ＴＲＬと中央の昇降空間ＴＲＣとの間に仕切り壁３０を設置する。仕切り壁３０は、最も左側の昇降空間ＴＲＬと中央の昇降空間ＴＲＣとの間にて各階床間に設けられた鉄骨梁２１ａ間に掛け渡されている複数の中間ビーム２４を利用して設置する。以下の説明では、仕切り壁の設置方法を明確にすべく鉄骨梁２１ａの周辺を主に説明する。また、左側の昇降空間ＴＲＬを先に処理を行う先作業空間ＷＳＢといい、中央側の昇降空間ＴＲＣを先作業空間ＷＳＢより後に処理を行う後作業空間ＷＳＡという。
【００６１】
仕切り壁３０を設置する際には、まず、処理対象の昇降空間ＴＲ（ここでは先作業空間ＷＳＢ）に位置する乗りかご１３や吊りロープＲ等を取り外す。そして、図１に示すように中空構造体１０の天井面１０ａから、処理対象の昇降空間ＴＲ内に吊りワイヤー７３を垂下する。また、エレベーターシャフトＥＶＳの床面１０ｂ上に、作業ゴンドラ７１を搬入するとともに、吊りワイヤー７３の下端を作業ゴンドラ７１の巻き上げ機７５にセットする。そして、これにより、作業ゴンドラ７１は、処理対象のエレベーターＥＶの昇降空間ＴＲにおいて使用可能状態となる。作業者はこの作業ゴンドラ７１を移動させつつアスベスト３１の除去処理及び耐火被覆処理を実行する。また、エレベーターシャフトＥＶＳ内には作業空間内を換気すべく作業空間内の空気を吸い込む集塵機を備えておく。
【００６２】
図７は、アスベストの表面に貼り付けられた飛散防止シートを示す図であり、図７（ａ）は正面図、図７（ｂ）は縦断面図、図７（ｃ）は平断面図を示している。仕切り壁３０を設置する際には、まず、図７に示すように、仕切り壁３０を形成する壁部材３４が固定されたときの位置を想定し、壁部材３４の周縁部に位置する中継部材３６及び閉塞プレート３７が当接される位置、即ち、エレベーターシャフトＥＶＳに露出する、鉄骨梁２１ａを被覆しているアスベスト３１の表面に飛散防止シート３８を貼着する。この作業は、飛散防止シート３８が貼着される箇所に、ＨＥＰＡフィルター付きの掃除機の吸引口を向けて吸引しつつ作業を進める。このとき貼着する飛散防止シート３８の幅は、中継部材３６の当接板部３６ａの左右方向の幅より広くしておく。また、飛散防止シート３８は、形成される壁面材３５の左側面より左側（先作業空間ＷＳＢ側）にはみ出さないように貼着する。
【００６３】
図８は中間ビーム間に設けられた軽量形鋼材と軽量形鋼材に取り付けられた気密性シート及び壁面材を示す図であり、図８（ａ）は正面図、図８（ｂ）は縦断面図、図８（ｃ）は平断面図を示している。
【００６４】
次に、図８に示すように、上下方向に間隔を隔てて配置されている複数の中間ビーム２４の各々に、ウェブ上にホルダー３３を載置するとともに、中間ビーム２４の下側を覆うように板金部材５１を取り付ける。具体的には、図６に示すように、各中間ビーム２４のウェブ上の右側の領域にホルダー３３を載置するとともに左側の領域に、ホルダー３３の規制金具５０を載置して、ホルダー３３と規制金具５０とを先作業空間側からビス止めする。また、各中間ビーム２４の２つのフランジの下端間を塞ぐように板金部材５１を配置し、板金部材５１の端部を２つのフランジの上端部に係止する。そして、ホルダー３３を開放された側を下方に向けて板金部材５１に当接させ下方からビスにて板金部材に固定する。このとき、上下に隣り合う中間ビーム２４の、上中間ビーム２４に設けられた下側のホルダー３３と、下中間ビーム２４のウェブ上に載置されたホルダー３３とが上下に対向する位置に各ホルダー３３を配置する。
【００６５】
そして、上下方向に互いに間隔を隔てて対向するように配置された２つの中間ビーム２４に設けられた下側のホルダー３３に軽量形鋼材３２の下端部を載置してビスにて固定し、上端部を上側のホルダー３３にビスにて固定し、複数の軽量形鋼材３２を中間ビーム２４間に配置する（軽量形鋼材立設工程）。
【００６６】
本実施形態では、軽量形鋼材３２が中間ビーム２４に固定されると、軽量形鋼材３２は中間ビーム２４のフランジ間における右側に配置されており、軽量形鋼材３２の右側面は、右側のフランジの右外面より、中間ビーム２４のフランジの肉厚とホルダー３３の肉厚分だけ左側に位置している。
【００６７】
また、このとき、前後方向において中間ビーム２４に固定する軽量形鋼材３２の数及び間隔は、後作業空間ＷＳＡを昇降する乗りかご１３により生じる風圧に応じて適宜設定される。具体的には、後作業空間ＷＳＡを昇降する乗りかご１３の昇降速度が速い場合には大きな風圧が仕切り壁３０に作用するので、前後方向に隣り合う軽量形鋼材３２の間隔が狭く、使用する軽量形鋼材３２の数は多く設定する。一方、後作業空間ＷＳＡを昇降する乗りかご１３の昇降速度が遅い場合には仕切り壁３０に作用する風圧は小さいので、前後方向に隣り合う軽量形鋼材３２の間隔が広く、使用する軽量形鋼材３２の数は少なく設定する。
【００６８】
次に、中間ビーム２４間に設けられた軽量形鋼材３２の後作業空間ＷＳＡに臨む面、及び中間ビーム２４の後作業空間ＷＳＡ側のフランジの後作業空間ＷＳＡに臨む面に、形成される仕切り壁３０の全面を覆うように気密性シート４０を貼り付ける。このとき、気密性シート４０は、軽量形鋼材３２と中間ビーム２４との境界部分を跨ぐように設けられている。そして、貼り付けられた気密性シート４０の後作業空間ＷＳＡ側からガルバリウム鋼板でなる板材３５ａを当接させてビスにて固定する（壁面形成工程）。このとき、１枚の板材３５ａは、上下に隣り合う中間ビーム２４間の領域より狭いため、隣接する板材３５ａの端部同士が互いに重なり合うように配置しつつビスにて固定していく。
【００６９】
具体的には、隣接する各板材３５ａの端部側の溝状の凹部同士が重なり合って嵌り込むように重ね合わせた状態にてビスにて固定して壁面をなす壁面材３５を形成する。形成された壁面材３５の上縁は、上側に位置する中間ビーム２４のフランジの下縁と、壁面材３５の下縁は下側に位置する中間ビーム２４のフランジの上縁と、気密性シート４０を介して突き合わされており、壁面材３５の前後方向の端部は、中空構造体１０の内周面、即ち、側壁２８の内面やスラブ１２の端部と、鉄骨梁２１ａを被覆しエレベーターシャフトＥＶＳ側に露出するアスベスト３１に貼り付けられた飛散防止シート３８の表面との間に間隔が隔てられて空隙１０ｃが設けられている。また、最も上に位置する壁面材３５の上縁は、エレベーターシャフトＥＶＳの天井面１０ａと、最も下に位置する壁面材３５の下縁は、エレベーターシャフトＥＶＳの床面１０ｂとの間に間隔が隔てられて空隙１０ｃが設けられている。
【００７０】
図９は閉塞プレートを説明するための図であり、図９（ａ）は正面図、図９（ｂ）は縦断面図、図９（ｃ）は平断面図を示している。
【００７１】
次に、図９に示すように、飛散防止シート３８と壁面材３５との間を塞ぐ閉塞プレート３７を後作業空間ＷＳＡ側から固定する。この閉塞プレート３７は、アスベスト３１上に貼着された飛散防止シート３８の表面の輪郭にほぼ沿った縁部が、飛散防止シート３８の表面に当接されて壁面材３５に固定する。このとき、閉塞プレート３７は、中間ビーム２４を挟み上下に位置する２つの壁面材３５間に跨るように固定される。
【００７２】
図１０は中継部材を説明するための図であり、図１０（ａ）は正面図、図１０（ｂ）は縦断面図、図１０（ｃ）は平断面図を示している。
【００７３】
次に、図１０に示すように、中空構造体１０の内周面に中継部材３６の当接板部３６ａを当接させ、固定板部３６ｂを壁面材３５の周端部に後作業空間ＷＳＡ側から重ねるとともにビスにて固定する（閉塞工程）。このとき、閉塞プレート３７が設けられている部位においては、壁面材３５との間に閉塞プレート３７を挟んで中継部材３６を固定する。また、上下に隣り合う鉄骨梁２１ａ間に設けられた側壁２８の内面、エレベーターシャフトＥＶＳの天井面１０ａ及び床面１０ｂは平坦なので、上下方向または水平方向に沿わせた各々１本の中継部材３６の当接板部３６ａを側壁２８の内面、エレベーターシャフトＥＶＳの天井面１０ａ及び床面１０ｂに当接させた状態にて中継部材３６の固定板部３６ｂを壁面材３５に後作業空間ＷＳＡ側から固定する。ここで、上下に隣り合う鉄骨梁２１ａ間の側壁２８の内面、エレベーターシャフトＥＶＳの天井面１０ａ及び床面１０ｂに当接させる中継部材３６は１本に限るものではないが、１本であれば継ぎ目が発生しないので気密状態が確保し易い。また、各階床を形成するスラブ１２の端部は、スラブ１２の上面における側壁２８より内側及びスラブ１２の端面においてアスベスト３１に覆われていない部位がエレベーターシャフトＥＶＳ内に露出しているが、スラブ１２の上面にて露出している左右方向の幅及びスラブ１２の端面にて露出している上下方向の幅に渡るとともに、隣接する中継部材３６同士が重なるようなサイズに形成された中継部材３６をそれぞれスラブ１２の上面及びスラブ１２の端面に当接させて壁面材３５に後作業空間ＷＳＡ側から固定する。ここで、壁面形成工程と閉塞工程とが壁形成工程に含まれる。
【００７４】
図１１は、飛散防止シートを囲むように取り付けられる中継部材の配置を説明するための図である。
【００７５】
飛散防止シート３８は鉄骨梁２１ａを被覆しているアスベスト３１上に貼り付けられているので、表面は、平坦ではなく曲面をなしている。このため、飛散防止シート３８と壁面材３５の周縁部との間に設ける中継部材３６は、まず、飛散防止シート３８の曲面に拘わらず、中継部材３６の当接板部３６ａが鉛直または水平に沿う状態にて飛散防止シート３８に当接させる。即ち、当接板部３６ａを側壁２８の内面と対向する方向及び上方、下方に向けて飛散防止シート３８に当接させて固定板部３６ｂを壁面材３５に後作業空間ＷＳＡ側から固定する。この状態では、飛散防止シート３８の曲面部分に、互いに隣り合っている中継部材３６間に、繋がらない部位が形成されてしまう。このため、この時点で互いに隣り合っている中継部材３６の当接板部３６ａ間にて間隔が空いている部分を覆うように、さらに中継部材３６を壁面材３５に後作業空間ＷＳＡ側から固定する。具体的には、当接板部３６ａが側壁２８の内面と対向する方向及び当接板部３６ａが上方、下方に向けられた中継部材３６が鉛直または水平に配置される複数の中継部材３６のうち、互いに隣り合う中継部材３６の当接板部３６ａの各縁部に、さらに設ける中継部材３６ｃの当接板部３６ａの縁部が接触するように中継部材３６ｃを配置して壁面材３５に後作業空間ＷＳＡ側から固定する。図９の例では、隣接する中継部材３６間を塞ぐために設けられる中継部材３６ｃは、当接板部３６ａが、鉛直及び水平方向とほぼ４５度をなすように配置されている。
【００７６】
アスベスト３１上に貼り付けられた飛散防止シート３８と、隣接する中継部材３６間を塞ぐために設けられた中継部材３６ｃとの間には空隙が生じているので、図１１に示すように、飛散防止シート３８と、隣接する中継部材３６間を塞ぐために設けられた中継部材３６ｃの当接板部３６ａとの間にシール材３９を充填する。そして、シール材３９を充填した後に、後作業空間ＷＳＡ側から壁面材３５及び中継部材３６の固定板部３６ｂに渡る範囲に、壁面材３５の先作業空間ＷＳＢ側と同様に覆う気密性シート４０を貼り付ける。この状態にて、先作業空間ＷＳＢと後作業空間ＷＳＡとを仕切り密閉区画する仕切り壁３０が完成する。ここで、シール材３９の充填、及び、先作業空間ＷＳＢ側から壁部材３４を覆う気密性シート４０の貼着も壁形成工程に含まれる。
【００７７】
仕切り壁３０により先作業空間ＷＳＢと後作業空間ＷＳＡとが密閉状態に仕切られた後に、後作業空間ＷＳＡでは乗りかご１３を昇降させてエレベーターＥＶを稼働させつつ先作業空間ＷＳＢにてドライアイスブラスト工法によりアスベスト３１の除去処理を実行する。
【００７８】
アスベスト３１の除去処理は、以下の手順にて行われる。  
図１２は、先作業空間のアスベスト除去処理及び飛散防止剤の塗装処理を説明するための図であり、図１２（ａ）は縦断面図、図１２（ｂ）は平断面図を示している。
【００７９】
まず、先作業空間ＷＳＢに対する乗り場出入口２８ａ等の隙間をポリエチレンシート等で密閉養生する。また、床面１０ｂには、その全面に亘り養生シートを敷いて覆っておく。  
次に、集塵機を稼働させ、作業空間ＷＳ内を負圧状態にする。  
作業者は、作業ゴンドラ７１に乗りながら先作業空間ＷＳＢ内を上下昇降することにより鉄骨梁２１ａを被覆しているアスベスト３１の付着部位へと接近し、飛散防止シート３８より先作業空間ＷＳＢ側のアスベスト３１をけれん棒等により掻き落とし、残ったアスベスト３１を、ドライアイスブラスト装置を用いて除去していく。このとき、図１１に示すように、アスベスト３１の表面に貼り付けた飛散防止シート３８の際までアスベスト３１を除去しておく。ここで、ドライアイスブラスト装置から噴射したドライアイス粒は、アスベストに衝突後に昇華して二酸化炭素ガスとなり作業空間ＷＳ中の下部に溜まるが、溜まった二酸化炭素ガスは、集塵機の吸気口から吸い込まれて速やかに外部空間に排気される。
【００８０】
そして、アスベスト３１が除去されて露出した部位に液体状の飛散防止剤４２を吹き付ける。このとき、除去により床面１０ｂの養生シート上に落下等したアスベスト３１は掃除機等で吸い込んで先作業空間ＷＳＢ内から排出しておく。
【００８１】
図１３は、突当部材を取り付けた状態を示す図であり、図１３（ａ）は正面図、図１３（ｂ）は縦断面図、図１３（ｃ）は平断面図を示している。
【００８２】
飛散防止剤４２を吹き付けた後に、図１２に示すように、仕切り壁３０と内周面との取り合いの部位にて、アスベスト３１にて被覆されていた部位よりも上下方向において広い範囲に対し突き当てられる覆い部材としての突当部材４４を先作業空間ＷＳＢ側から壁面材３５に取り付ける。突当部材４４は、中間ビーム２４の上側に位置する側壁２８の下端側、スラブ１２の端部、鉄骨梁２１ａ、中間ビーム２４の下側に位置する側壁２８の上端側、の輪郭に沿うように形成された平板状の部材である。この突当部材４４が突き当てられる部位は既にアスベスト３１が除去されて表面の輪郭に曲線が含まれないので、中空構造体１０の内周面に沿うように直線的に切断されて形成されている。また、突当部材４４は、先作業空間ＷＳＢ側から壁面材３５に固定されるとともに、上側の側壁２８の内面及び下側の側壁２８の内面に当接されて壁面材３５に固定されている中継部材３６にも先作業空間ＷＳＢ側から固定されている。このため、突当部材４４を取り付けた後には、突当部材４４と対向する中継部材３６、３６ｃ及び閉塞プレート３７を取り外しても先作業空間ＷＳＢと後作業空間ＷＳＡとが連通しないように構成されている。
【００８３】
突当部材４４は、壁面材３５に固定されると、壁面材３５の先作業空間ＷＳＢ側に位置し、飛散防止シート３８より左側（後作業空間ＷＳＡ側）にて飛散防止剤４２が吹き付けられた鉄骨梁２１ａとその上下の部位に渡って突き当てられた状態にて、壁面材３５と平行に突き当てられる。即ち、突当部材４４は当接面に対しほぼ直交するように、飛散防止シート３８より左側にて壁面材３５に突き当てられる。
【００８４】
図１４は、先作業空間側にて鉄骨梁にロックウールの被覆を施す処理を説明するための図であり、図１４（ａ）は縦断面図、図１４（ｂ）は平断面図を示している。
【００８５】
突当部材４４を取り付けた後に、図１３に示すように、先作業空間ＷＳＢの飛散防止剤４２が吹き付けられた部位に、新たな耐火被覆材としてロックウール４６を吹き付けて先作業空間ＷＳＢでのアスベスト除去処理が完了する。
【００８６】
次に、後作業空間ＷＳＡ側のアスベスト除去処理を実行する。このとき、本実施形態は、３連式のエレベーターＥＶなので、後作業空間ＷＳＡ側には、右側の昇降空間ＴＲＲと中央の昇降空間ＴＲＣとがあるが、次にアスベスト３１の除去処理は中央の昇降空間ＴＲＣにて行う。
【００８７】
まず、左側の昇降空間ＴＲＬの場合と同様に中央の昇降空間ＴＲＣの乗りかご１３や吊りロープＲ等を取り外す。そして、既にアスベスト３１の除去処理が完了した左側の昇降空間ＴＲＬから吊りワイヤー７３、作業ゴンドラ７１、作業ゴンドラ７１の巻き上げ機７５、集塵機等を取り外して中央の昇降空間ＴＲＣにセットする。また、左側の昇降空間ＴＲＬには、乗りかご１３や吊りロープＲ等をセットして、エレベーターＥＶを稼働させる。
【００８８】
中央の昇降空間ＴＲＣと右側の昇降空間ＴＲＲとの間には、前述した仕切り壁３０を設置する。中央の昇降空間ＴＲＣと右側の昇降空間ＴＲＲとの間に仕切り壁３０が設置され、中央の昇降空間ＴＲＣに対する乗り場出入口２８ａ等の隙間をポリエチレンシート等で密閉養生すると、中央の昇降空間ＴＲＣが密閉された作業空間ＷＳとなる。また、床面１０ｂには、その全面に亘り養生シートを敷いて覆い、集塵機を稼働させ、作業空間ＷＳ内を負圧状態にする。
【００８９】
図１５は、後作業空間のアスベスト除去処理及び飛散防止剤の塗装処理を説明するための図であり、図１５（ａ）は縦断面図、図１５（ｂ）は平断面図を示している。
【００９０】
後作業空間ＷＳＡのアスベスト除去処理は、まず、図１５に示すように、突当部材４４が取り付けられた部位を先作業空間ＷＳＢ側から覆っている中継部材３６及び閉塞プレート３７を先作業空間ＷＳＢ側から撤去する。突当部材４４と対向する位置に設けられた中継部材３６を取り外した状態であっても後作業空間ＷＳＡの密閉状態は維持されている。
【００９１】
図１５に示すように、中継部材３６が当接されていた飛散防止シート３８を撤去し、後作業空間ＷＳＡ内のアスベスト３１の除去処理を実行する。アスベスト３１の除去処理は、左側の昇降空間ＴＲＬの場合と同様であるが、アスベスト３１は突当部材４４側の飛散防止シート３８を撤去した部位から、右側の昇降空間ＴＲＲとの間に設けられた飛散防止シート３８の際まで除去する。
【００９２】
図１６は、後作業空間側にて鉄骨梁にロックウールの被覆を施す処理を説明するための図であり、図１６（ａ）は縦断面図、図１６（ｂ）は平断面図を示している。
【００９３】
後作業空間ＷＳＡにてアスベスト３１の除去が終了したら、図１６に示すように、アスベスト３１が除去されて露出した部位に液体状の飛散防止剤４２を吹き付け、飛散防止剤４２が吹き付けられた部位に、新たな耐火被覆材としてロックウール４６を吹き付ける。
【００９４】
図１７は、突当部材を取り外した後に形成されるロックウールの隙間を示す図であり、図１７（ａ）は正面図、図１７（ｂ）は縦断面図、図１７（ｃ）は平断面図を示している。
【００９５】
ロックウール４６の吹き付けが終了した後、壁面材３５、側壁２８、天井面１０ａ、床面１０ｂに当接されている気密性シート４０、軽量形鋼材３２、ホルダー３３、規制金具５０、突当部材４４、即ち、仕切り壁３０を撤去する。このとき突当部材４４は、先作業空間ＷＳＢにて吹き付けたロックウール４６と、後作業空間ＷＳＡにて吹き付けたロックウール４６との間から引き抜くように撤去する。突当部材４４を撤去した後には、図１７に示すように、先作業空間ＷＳＢにて吹き付けたロックウール４６と、後作業空間ＷＳＡにて吹き付けたロックウール４６との間に突当部材４４の厚み分の隙間４６ａが生じるので、この隙間４６ａにロックウール４６を充填して補修する。ロックウール４６の補修が完了すると、左側の昇降空間ＴＲＬと、中央の昇降空間ＴＲＣにおけるアスベスト３１の除去処理が完了する。その後、中央の昇降空間ＴＲＣと、右側の昇降空間ＴＲＲとの間に設置した仕切り壁３０にて右側の昇降空間ＴＲＲを密閉し、左側及び中央の昇降空間ＴＲと同様にアスベスト除去処理を実行する。
【００９６】
本実施形態の仕切り壁３０によれば、アスベスト３１の処理をする際に中空構造体１０を仕切る仕切り壁３０は、互いに隣り合う昇降空間ＴＲの間に位置し、上下方向に互いに間隔を隔てて対向するように配置された２つの中間ビーム２４の間に設けられた軽量形鋼材３２に壁部材３４が固定されて構成されているので、中間ビーム２４の側面に、水平方向におけるいずれかの側から設けられた軽量形鋼材３２に壁部材３４が固定される場合より、水平方向において仕切り壁３０に占有される領域が狭い。このため、互いに隣り合う昇降空間の間が狭い中空構造体１０内であっても、作業空間ＷＳを密閉することが可能な仕切り壁３０を提供することが可能である。また、中間ビーム２４が設けられた中空構造体１０内であっても複数の空間に区分けして密閉することが可能な仕切り壁３０を提供することが可能である。
【００９７】
また、壁面材３５を構成し互いに隣接する複数の板材３５ａの端部同士が重なるように配置されているので、上下に隣り合う中間ビーム２４の間をより確実に密閉する仕切り壁３０を提供することが可能である。また、壁面材３５と中空構造体１０の内周面との間を繋ぐ中継部材３６が設けられているので、壁面材３５と中空構造体１０の内周面との間もより確実に密閉することが可能である。
【００９８】
また、ウェブ２４ｂが水平をなすように配置されたＨ型鋼でなる、上下に隣り合う中間ビーム２４のフランジ２４ａ間にフランジ２４ａに沿って設けられた壁面材３５の端部が、中間ビーム２４のフランジ２４ａの外側面と重ねられているので、上下に隣り合う中間ビーム２４と壁面材３５との境界部分を確実に密閉することが可能である。このため、上下方向に配置されている複数の中間ビーム２４の間に壁面材３５により上下方向に隙間なく繋がった壁面を形成することが可能である。
【００９９】
また、上下に隣り合う中間ビーム２４間に設けられる軽量形鋼材３２は、下端部が下側の中間ビーム２４に設けられ、チャンネル材でなるホルダー３３に固定され、上端部が上側の中間ビーム２４に固定されたチャンネル材でなるホルダー３３に固定されているので、高い強度を備えて軽量形鋼材３２を上下に隣り合う中間ビーム２４間に設けることが可能である。そして、この軽量型鋼材３２に固定された壁部材３４もより高い強度を備えることが可能である。
【０１００】
また、中空構造体１０内のアスベスト３１が付着している箇所は、アスベスト３１の表面に飛散防止シート３８が設けられているので、アスベスト３１が付着している箇所に中継部材３６、３６ｃを設けることによるアスベスト３１の飛散を防止することが可能である。
【０１０１】
また、複数設けられた中継部材３６、３６ｃと内周面との間にシール材３９が充填されているので、中継部材３６，３６ｃと内周面との間も確実に密閉することが可能である。
【０１０２】
また、壁部材３４が気密性シート４０にて覆われているので、壁部材３４を構成する壁面材３５と中継部材３６、３６ｃとの間及び壁面材３５を構成し隣接する複数の板材３５ａ間をより確実に密閉することが可能である。
【０１０３】
また、壁部材３４の両面が気密性シート４０にて覆われているので、壁部材３４を構成する壁面材３５と中継部材３６、３６ｃとの間及び壁面材３５を構成し隣接する複数の板材３５ａ間を両面からより確実に密閉することが可能である。また、仕切り壁３０により仕切られた空間の一方側の処理が終了した後に一方側の気密性シート４０を取り外しても、仕切り壁３０の密閉性を維持したままで他方側の処理を行うことが可能である。
【０１０４】
本実施形態の仕切り壁３０の設置方法によれば、中空構造体１０内を仕切る仕切り壁３０を、上下に対向する一対の中間ビーム２４間に立設させた複数の軽量形鋼材３２に壁部材３４を固定して上下に対向する一対の中間ビーム２４間に壁面を形成するので、互いに隣り合う昇降空間ＴＲの間に設けられた中間ビーム２４からの突出量を抑えて、上下方向に繋がった壁面を形成して中空構造体１０内を仕切ることが可能である。また、互いに隣り合う昇降空間ＴＲの間に仕切り壁３０の上下方向に繋がった壁面を形成するので、アスベスト３１の処理をするための空間を密閉することが容易である。さらに、壁部材３４を、上下に対向する一対の中間ビーム２４に、上端部と下端部とがそれぞれビス止めされた複数の軽量形鋼材３２に壁部材３４を固定することにより、隣接する昇降空間ＴＲにて物体が昇降し風圧が壁面に作用しても撓みにくい剛性を備えることが可能である。
【０１０５】
また、壁部材３４の壁面材３５を構成する複数の板材３５ａを互いに隣接する板材３５ａの端部同士が重なるように並べ、壁面材３５を上下に位置する中間ビーム２４の側面、即ちフランジ２４ａに重ねるので、より高い密閉性を備えた仕切り壁３０を形成することが可能である。また、壁面材３５と中空構造体１０の内周面との空隙１０ｃに合わせて中継部材３６、３６ｃを取り付けることにより、単に壁面材３５のみにて壁部材３４を形成する場合より、調整代を確保することが可能であり、壁面材３５と中空構造体１０の内周面との間を中継部材３６、３６ｃにてより確実に塞ぐことが可能である。
【０１０６】
また、中空構造体１０内のアスベスト３１が付着している箇所は、中継部材３６、３６ｃが当接される位置の当該アスベスト３１の表面に飛散防止シート３８を設けて内周面とするので、中継部材３６、３６ｃを設ける際に、中継部材３６、３６ｃとアスベスト３１とが直接接しないので中継部材３６、３６ｃを取り付けることによるアスベスト３１の飛散を防止することが可能である。
【０１０７】
また、壁部材３４を覆う気密性シート４０が軽量形鋼材３２と壁部材３４との間に設けられるので、壁面材３５の軽量形鋼材３２側の面を気密性シート４０にて覆い密閉空間を形成することが可能である。
【０１０８】
また、壁部材３４は両面から気密性シート４０に覆われるので、さらに高い気密性を確保することが可能である。
【０１０９】
また、中継部材３６、３６ｃと飛散防止シート３８との間にシール材３９を充填するので、中継部材３６、３６ｃと飛散防止シート３８との間も隙間なく密閉することが可能である。
【０１１０】
また、上記仕切り壁３０を用いたアスベスト３１の処理方法によれば、壁部材３４により先作業空間ＷＳＢと後作業空間ＷＳＡとに密閉区画された後に、先作業空間ＷＳＢ側のアスベスト３１が除去されるので、除去されアスベスト３１が外部に飛散することを確実に防止することが可能である。このとき、除去されたアスベスト３１は後作業空間ＷＳＡにも飛散しないので、後作業空間は先作業空間ＷＳＢでのアスベスト３１の除去処理に拘わらず使用することが可能である。また、アスベスト３１が除去された部位には飛散防止剤４２を塗装するので、アスベスト３１の飛散をより確実に防止することが可能である。さらに、突当部材４４を取り付けてから飛散防止シート３８に当接されている中継部材３６、３６ｃを取り外すので、先作業空間ＷＳＢ内を密閉区画した状態を保ったままで、即ち、先作業空間ＷＳＢと後作業空間ＷＳＡとが連通されることなく、中継部材３６、３６ｃを取り外すことが可能である。また、突当部材４４を取り付けた後に、突当部材４４より先作業空間ＷＳＢ側にロックウール４６を付着させる処理を実行するので、アスベスト３１が付着していた部位の突当部材４４より先作業空間ＷＳＢ側をロックウール４６で覆うことが可能である。
【０１１１】
また、突当部材４４を先作業空間ＷＳＢにて飛散防止剤４２が塗装された部位に当接するので、アスベスト３１が確実に飛散防止処理された領域にて先作業空間ＷＳＢ側と後作業空間ＷＳＡとを区画することが可能である。このため、突当部材４４を取り付けた後に中継部材３６、３６ｃを取り外しても先作業空間ＷＳＢ側にアスベスト３１が残存することを確実に防止することが可能である。
【０１１２】
また、突当部材４４を、飛散防止剤４２が塗装された部位と直交する平板状の部位の縁部にて飛散防止剤４２が塗装された部位に当接するので、突当部材４４の内周面との接触面積を小さくすることが可能であり、より広い領域にロックウール４６を付着させることが可能である。
【０１１３】
また、先作業空間ＷＳＢにて飛散防止剤４２が塗装された部位に当接された突当部材４４の後作業空間ＷＳＡ側にてアスベスト３１を除去した後に、飛散防止剤４２を塗装するので、アスベスト３１が付着していた部位の全域に余すことなく飛散防止剤４２を塗装することが可能である。そして、突当部材４４が当接していた部位、すなわち、突当部材４４の板厚分を除いた領域にロックウール４６を付着させることが可能である。また、突当部材４４を当該突当部材４４が当接された部位と直交する方向に引き抜いて取り外すので、突当部材４４を取り外しても突当部材４４の板厚分の隙間が形成されるだけで、ロックウール４６を剥がすことなく突当部材４４を取り外すことが可能である。
【０１１４】
また、突当部材４４を引き抜いて形成された隙間４６ａにもロックウール４６を充填することが可能である。このため、アスベスト３１が付着していた部位の全域にロックウール４６を充填することが可能である。
【０１１５】
また、中空構造体１０内に作業空間が３つ以上存在する場合には、先作業空間ＷＳＢを密閉するために設置した仕切り壁３０を、後作業空間ＷＳＡの仕切り壁３０として流用できるので、仕切り壁３０の設置及び取り外し作業を省略できて、効率良く作業を進めることが可能である。
【０１１６】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【０１１７】
上述の実施形態では、中空構造体１０の内部空間の一例としてエレベーターシャフトＥＶＳを示したが、何等これに限るものではなく、多連式のタワーパーキング（立体駐車場とも言い、タワー状構造物の内部空間に、複数の自動車を上下昇降するための無端の周回軌道を設けたもの）を中空構造体として、これに適用しても良い。すなわち、タワーパーキングの内部空間には、複数の周回軌道が水平方向の左右に並列に設けられており、各周回軌道は、それぞれ独立に周回運動可能である。
【０１１８】
上記実施形態においては、中間ビーム２４をＨ形鋼としたが、これに限るものではなく、例えば、断面形状がＣ形をなすチャンネル材他その他の鋼材であっても構わない。
【０１１９】
上述の実施形態では、気密性シート４０は一枚ものであるように説明したが、これに限らず、気密性シート４０を適宜なサイズの複数のシートから構成し、これらを粘着テープ等によって繋ぎ合わせて上記の仕切り壁３０の大きさまで大きくしても良い。また、壁部材を重ね合わせただけで十分な密閉空間が形成できれば、気密性シートは必ずしも設けなくてもよい。また、重ね合わせた壁部材の継ぎ目にシール材を充填しても良い。
【０１２０】
上記実施形態においては、アスベスト３１の表面に貼着する飛散防止シートを耐火性を有するシートとしたが、必ずしも耐火性を有していなくても良い。
【０１２１】
上記実施形態においては、壁面材３５をガルバリウム鋼板としたが、これに限るものではなく、設置するエレベーターシャフトＥＶＳに合わせた板材であれば構わない。例えば、隣接する昇降空間にて乗りかごが高速にて昇降するエレベーターの場合には、仕切り壁が高い風圧を受けるので、壁面材として剛性の高い板材を用いることが望ましい。また、軽量形鋼材３２を断面がＣ字状をなすチャンネル材としたが、これに限るものではなく、設置するエレベーターシャフトＥＶＳに合わせた鋼材であれば構わない。この場合にも、隣接する昇降空間にて乗りかごが高速にて昇降するエレベーターの場合には、仕切り壁が高い風圧を受けるので、下地材として剛性の高い鋼材を用いることが望ましい。
【０１２２】
上述の実施形態では、エレベーターシャフトＥＶＳ内に乗りかご１３が無い状態でアスベスト処理を行う場合を例示したが、エレベーターシャフトＥＶＳ内に乗りかご１３が在る状態でアスベスト処理を行っても良い。なお、この場合には、乗りかご１３は、アスベストの処理作業の邪魔にならないように、エレベーターシャフトＥＶＳの上端又は下端へ移動されており、上端又は下端の無害化処理をする際には、乗りかご１３は処理済みの位置へ移動されるのは言うまでもない。
【０１２３】
上述の実施形態では、エレベーターシャフトＥＶＳ内に作業ゴンドラ７１を持ち込んでアスベストの処理作業を行っていたが、各エレベーターＥＶ（昇降空間ＴＲ）が具備する乗りかご１３を作業ゴンドラ７１の代わりに使用しても良い。すなわち、乗りかご１３の屋根面に作業者が乗って処理作業を行っても良い。
【０１２４】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【０１２５】
１０  中空構造体、１０ａ  天井面、１０ｂ  床面、１０ｃ  空隙、１２  スラブ、
１３  乗りかご、１９  巻き上げ機、２１  柱梁架構、２１ａ  鉄骨梁、
２１ｂ  鉄骨柱、２４  中間ビーム、２４ａ  フランジ、２４ｂ  ウェブ、
２５  開閉扉、２８  側壁、２８ａ  乗り場出入口、３０  仕切り壁、
３１  アスベスト、３２  軽量形鋼材、３２ａ  底部、３２ｂ  側壁部、
３３  ホルダー、３４  壁部材、３５  壁面材、３５ａ  板材、３６  中継部材、
３６ａ  当接板部、３６ｂ  固定板部、３６ｃ  中継部材、３７  閉塞プレート、
３８  飛散防止シート、３９  シール材、４０  気密性シート、
４２  飛散防止剤、４４  突当部材（覆い部材）、４５  テープ材、
４６  ロックウール、４６ａ  隙間、７１  ゴンドラ、
７３  ワイヤー、７５  巻き上げ機、ＥＶ  エレベーター、
ＥＶＨ  エレベーターホール、ＥＶＳ  エレベーターシャフト、
ＴＲ  昇降空間、ＴＲＬ  左側の昇降空間、ＴＲＣ  中央の昇降空間、
ＴＲＲ  右側の昇降空間、 ＷＳ  作業空間、
ＷＳＡ  後作業空間、ＷＳＢ  先作業空間
【図２】
0005691436.tif 000002
【図３】
0005691436.tif 000003
【図４】
0005691436.tif 000004
【図５】
0005691436.tif 000005
【図６】
0005691436.tif 000006
【図７】
0005691436.tif 000007
【図８】
0005691436.tif 000008
【図９】
0005691436.tif 000009
【図１０】
0005691436.tif 000010
【図１１】
0005691436.tif 000011
【図１２】
0005691436.tif 000012
【図１３】
0005691436.tif 000013
【図１４】
0005691436.tif 000014
【図１５】
0005691436.tif 000015
【図１６】
0005691436.tif 000016
【図１７】
0005691436.tif 000017
【図１】
0005691436.tif 000018